(57)【特許請求の範囲】
【請求項１】
コンクリート製のプレート本体（81）の少なくとも裏面に突出させた型鋼（82）を有する残存型枠（８）に対して、該残存型枠（８）を組立てる際に使用する残存型枠に於けるカーブ用固定具であって、中央部（1a）が折曲可能な長尺本体（１）と、該長尺本体（１）の中央部（1a）を跨いて取付けた略山形状の曲げ支持板（２）と、少なくとも前記曲げ支持板（２）の中央を貫通するネジ部材（３）と、該ネジ部材（３）と螺合し前記曲げ支持板（２）に固着させたナット（４）と、前記長尺本体（１）を挟んで前記ネジ部材（３）に固着させた挟持部材（５），（６）と、前記長尺本体（１）の両端側に取付ける取付手段（７）とから構成したことを特徴とする残存型枠に於けるカーブ用固定具。
【請求項２】
前記長尺本体（１）がＣ型鋼であり、且つその中央部（1a）に少なくとも１個の切欠部（1b）を設けた請求項１記載の残存型枠に於けるカーブ用固定具。
【請求項３】
前記ネジ部材（３）が、その一端を角部（3a）に形成した請求項１記載の残存型枠に於けるカーブ用固定具。
【請求項４】
前記取付手段（７）が、前記型鋼（82）に前記長尺本体（１）を固定するための略山形状でネジ付きの押え金具（71）と、該押え金具（71）を内側から支持すると共に前記長尺本体（１）の両端側に固着させた金具本体（72）とから成る請求項１記載の残存型枠に於けるカーブ用固定具。
【請求項５】
前記取付手段（７）が、前記型鋼（82）に前記長尺本体（１）を固定するための略山形状でネジ付きの押え金具（71）である請求項１記載の残存型枠に於けるカーブ用固定具。
【請求項６】
前記取付手段（７）が固定ボルトであり、且つ前記長尺本体（１）の両端側に固定ボルト用の楕円状な挿入穴（1c）を穿設させ、尚且つ予め前記型鋼（82）に設けた取付穴（82a）に、前記固定ボルトを前記挿入穴（1c）から挿入して取付ける請求項１記載の残存型枠に於けるカーブ用固定具。
【発明の詳細な説明】
【０００１】
【発明の属する技術分野】
本発明はコンクリート製の擁壁，砂防ダム，橋脚等の構造物を施工する場合、本発明者が提案した特開平１０−２０４９００号，特開平１０−２０４９０１号，特開平１１−０６２０７２号などの残存型枠を使用し、それを組立てる際に用いる残存型枠に於けるカーブ用固定具に関する。
【０００２】
【従来の技術】
従来、コンクリート製パネルの残存型枠を使用して枠組する場合には、本発明者が提案した特開平１１−０９３３０９号「壁材固定具」を用い、隣合う残存型枠を平面状に連結固定させていた。
【０００３】
しかしながら、特開平１１−０９３３０９号では、隣合う残存型枠に角度を付けてカーブさせる連結は出来ない欠点があった。尚、従来に於いては、隣合う残存型枠に角度を付ける連結方法としては、各残存型枠毎にずらして溶接で固定する方法が行われているが、これは非常に手間が掛って作業能率が悪く、且つ現場で行った溶接箇所が非常に錆び易いため、完成後、表面に錆汁が滲み出て表面を汚していた。
【０００４】
本発明は隣合う残存型枠に角度を付けながら連結作業が可能となると共に角度の微調節を行うことが出来る残存型枠に於けるカーブ用固定具を提供することを目的とする。
【０００５】
【課題を解決するための手段】
上記欠点を解消するために本発明は成されたものであり、つまり、中央部が折曲可能な長尺本体と、該長尺本体の中央部を跨いて取付けた略山形状の曲げ支持板と、少なくとも曲げ支持板の中央を貫通するネジ部材と、該ネジ部材と螺合し曲げ支持板に固着させたナットと、長尺本体を挟んでネジ部材に固着させた挟持部材と、長尺本体の両端側に取付ける取付手段とから構成する。又、長尺本体にＣ型鋼を用いて、中央部に少なくとも１個の切欠部を設けてその箇所から簡単に折曲するようにさせたり、ネジ部材が工具で回転し易くなるように一端を角部に形成すると良い。更に前記取付手段として、押え金具或いはそれと金具本体とから成る連結金具を用いたり、固定ボルトを用いると良い。尚、本発明で言う「カーブ」とは、横方向及び縦方向に対する曲がりを指す。
【０００６】
【発明の実施の形態】
図１、図２は本発明の実施形態を示す図であり、これは４枚の残存型枠（８）が連結固定される際に使用する固定具である。この図面に基づいて本実施形態を説明すると、（１）は後述する金具本体（72）を両端側に固着させた長尺本体であり、該長尺本体（１）としてＣ型鋼を用い、その中央部（1a）の上下には切欠部（1b）が設けられており、そこから折曲可能にしている。尚、前記長尺本体（１）の材料はＣ型鋼に限定されるものではない。（２）は長尺本体（１）の中央部（1a）を跨いて取付けた略山形状の曲げ支持板であり、該曲げ支持板（２）の両端は長尺本体（１）と溶接で固着されている。（３）は曲げ支持板（２）の中央を貫通するネジ部材であり、該ネジ部材（３）の一端が角部（3a）に形成されている。（４）は曲げ支持板（２）の中央に固着させたナットであり、該ナット（４）は前記曲げ支持板（２）の表面又は裏面に溶接で固定される。尚、前記ナット（４）の代りに、ネジ部材（３）と螺合するネジ穴を有した部材が用いられても良い。
【０００７】
（５），（６）は長尺本体（１）を挟んで固着した挟持部材であり、挟持部材（５）は図２の図中左側に設けられた六角ボルトであり、挟持部材（６）は挟持部材（５）を螺合させて右側に設けられると共にネジ部材（３）と溶接で固着した段付きナットである。この時、挟持部材（５），（６）は長尺本体（１）に対して回動自在に取付けられている。尚、前記挟持部材（５）は前記ネジ部材（３）と兼用させ且つその先端に角部（3a）を形成させた図４に示すような長尺な六角ボルトを使用しても良く、且つ挟持部材（６）に六角ナットを用いても良い。（７）は長尺本体（１）の両端側に取付ける取付手段であり、該取付手段（７）には、型鋼（82）に長尺本体（１）を固定するための略山形状でネジ付きの押え金具（71）と、その押え金具（71）を内側から支持すると共に前記長尺本体（１）の両端側に固着させた金具本体（72）とがある。また前記金具本体（72）の上下には押え金具（71）を取付け、該押え金具（71）には型鋼（82）に嵌め込む溝が形成されている。尚、前記押え金具（71）と金具本体（72）は本発明者が特開平１１−０９３３０９号で提案した構造のものを用いると良い。（８）はコンクリート製のプレート本体（81）の内部に網状体が埋設され、その裏面には四角状に枠組した型鋼（82）が前記網状体に固着され、且つ型鋼（82）の半分が突出する残存型枠であり、これは本発明者が提案した特開平１０−２０４９００号，特開平１０−２０４９０１号，特開平１１−０６２０７２号などを使用すると良い。
【０００８】
図３、図４は本発明の別実施形態を示す図であり、これは２枚の残存型枠（８）が連結固定される時に用いる固定具である。この図面に基づいて別実施形態を説明すれば、（１）は前記実施形態と同じ材料で且つ同じ幅のものを用いるが、前記実施形態よりも長さが半分前後の短い長尺本体であり、該長尺本体（１）の中央部（1a）には切欠部（1b）を上下に各２個ずつ設け、中央部（1a）で平面が保持された状態で折曲するようにしている。（２）は長尺本体（１）の中央部（1a）を跨いて取付けた略山形状の曲げ支持板であり、該曲げ支持板（２）の両端は長尺本体（１）と溶接で固着されている。また前記実施形態と比べると同じ材料で且つ同じ幅のものを用いるが、前記実施形態よりも略山形状の高さは低いものを使用する。
【０００９】
（３）は長尺本体（１）及び曲げ支持板（２）の中央を貫通する長尺な六角ボルトであるネジ部材であり、該ネジ部材（３）の先端には角部（3a）が形成されている。前記ネジ部材（３）は長尺本体（１）側から挿入し、後述する挟持部材（５）の役目も兼ねる。（４）は曲げ支持板（２）に固着させた六角ナットであり、前記曲げ支持板（２）の山頂側に溶接で固定すると良い。尚、前記六角ナット（４）の代りに、ネジ穴を有した部材が用いられても良い。（６）はネジ部材（３）と螺合させ且つ長尺本体（１）の板厚部から少し隙間を設けてネジ部材（３）と溶接で固着する挟持部材であり、該挟持部材（６）としては六角ナットを用いると良い。（７）は長尺本体（１）の両端側に取付ける取付手段であり、該取付手段（７）として、前記実施形態と同じ形状の押え金具（71）だけを用いるが、隣接する残存型枠（８）の型鋼（82）に対応し、且つ前記実施形態よりも小型のものを使用すると良い。
【００１０】
図５は本発明の他の実施形態を示す図であり、これは前記別実施形態と比べると、長尺本体（１）の両端側に楕円状な挿入穴（1c）が穿設され、且つ取付手段（７）として固定ボルトが使用される点が異なり、他は同一である。また残存型枠（８）の型鋼（82）にはネジ穴などの取付穴（82a）が予め設けられており（図８参照）、この取付穴（82a）に固定ボルトを取付ければ良い。更に図６に示すように前記長尺本体（１）の幅を広くして両端側の楕円状な挿入穴（1c）が上下２個ずつ穿設され、４枚の残存型枠（８）の連結用に成しても良い。
【００１１】
次に本発明品を使用してカーブ部分で残存型枠（８）が組立てられる方法について説明する。予め図示しない基礎コンクリート上に従来通りの方法によって平面部を残存型枠（８）で組立てておく。先ず始めに図８に示す矢印Ａ箇所に４枚用の本発明品を取付ける場合について説明する。先ず左下と左上の残存型枠（８）の右端に長尺本体（１）の中央が来るように図１に示す本発明品を配置させる。そして長尺本体（１）の左側に固着させた金具本体（72）の山頂側から２個の押え金具（71）を被せると共に押え金具（71）に設けた図示しない溝を上下の型鋼（82）にそれぞれ嵌め込み、中央のネジを回してネジの先端が金具本体（72）の山頂に当接され、押え金具（71）全体が引寄せられて左側の上下の残存型枠（８）と長尺本体（１）は固定されるのである。左下と左上の残存型枠（８）同士が固着した後、ネジ部材（３）を適宜に回しカーブに沿って長尺本体（１）の右半分を折曲させる。この時、予めカーブに沿って張られた図示しない糸に対して平行になるまで折曲させる。次に図中の中央下と中央上の残存型枠（８）を配置させる。そして長尺本体（１）の右側に固着させた金具本体（72）の山頂側から２個の押え金具（71）を被せると共に押え金具（71）に設けた図示しない溝を上下の型鋼（82）にそれぞれ嵌め込み、中央のネジを回して上記同様の作業が行われることにより、中央下と中央上の残存型枠（８）同士が固着される。そして前記ネジ部材（３）を回して中央側の残存型枠（８）がカーブと一致するように微調節を行って仕上げる。このようにして順次右側の残存型枠（８）を組立てながら本発明品を取付け、長尺本体（１）の中央を折曲し微調節することによって、前記残存型枠（８）がカーブと一致するよう組立てられるのである。
【００１２】
次に図８に示す矢印Ｂ箇所に２枚用の本発明品を取付ける場合について説明する。前記同様に先ず図３に示す長尺本体（１）を左上と右上の残存型枠（８）の上部に跨るように配置し、且つ長尺本体（１）の中央が左上と右上の残存型枠（８）の境に来るように本発明品を配置させる。そして長尺本体（１）の左側に、押え金具（71）に設けた図示しない溝を左上の残存型枠（８）の右辺に設けた型鋼（82）に嵌め込むと共に中央のネジを回してネジの先端が長尺本体（１）に当接され、押え金具（71）全体が引寄せられて左上の残存型枠（８）と長尺本体（１）は固定されるのである。その後、ネジ部材（３）を適宜に回して長尺本体（１）の右半分が、予めカーブに沿って組立てられた図中央上の残存型枠（８）の型鋼（82）に沿うように折曲させる。そして長尺本体（１）の右側に、押え金具（71）に設けた図示しない溝を中央上の残存型枠（８）の左辺に設けた型鋼（82）に嵌め込むと共に中央のネジを回してネジの先端が長尺本体（１）に当接され、新たに取付けた押え金具（71）全体が引寄せられて中央上の残存型枠（８）と長尺本体（１）は固定されるのである。この時、中央側の残存型枠（８）がずれた際にはネジ部材（３）を適宜に回して微調節が行われることにより、中央上の残存型枠（８）がカーブに一致して組立てられるのである。尚、矢印Ｂ箇所に本発明品を取付ける場合、矢印Ａ箇所と同時に左側を始めに固定し、長尺本体（１）の中心から右半分を折曲させた後、中央下と中央上の残存型枠（８）を配置させると共に長尺本体（１）の左側も固定させても良い。
【００１３】
又、図８に示す矢印Ｃ箇所に他の実施形態の本発明品を取付ける場合について説明する。先ず図５に示す長尺本体（１）を中央上と右上の残存型枠（８）の上部に跨るように前記矢印Ｂ箇所と同様の要領で配置すると、長尺本体（１）の中心が中央上と右上の残存型枠（８）の境に来るように配置させる。次に取付手段（７）として固定ボルトを用いる。そして取付穴（82a）に挿入穴（1c）を合せて長尺本体（１）が配置されると共に固定ボルトを挿入してネジ穴などの取付穴（82a）に螺合し締結させる。この時、固定ボルトとしてタッピングネジを使用する際には、取付穴（82a）にネジ山を設けなくても良い。その後、ネジ部材（３）を適宜に回して長尺本体（１）の右半分が、予めカーブに沿って組立てられた右上の残存型枠（８）の型鋼（82）に沿うように折曲させる。そして長尺本体（１）の右側に、固定ボルトを挿入してネジ穴などの取付穴（82a）に螺合し締結させる。この時、右側の残存型枠（８）がずれた際にはネジ部材（３）で微調節を行って、右上の残存型枠（８）をカーブに一致するように組立てれば良い。尚、この時、図６に示す本発明品を使用して矢印Ａ箇所に於いて、上記要領で取付けても良い。
【００１４】
このようにして順次右側に残存型枠（８）をカーブと一致するように長尺本体（１）の中心を折曲及び微調節を行って組立てて行けば良い。尚、本発明品を残存型枠（８）に取付け且つ折曲させる順序は上記に限定されるものではない。例えば、始めに矢印Ａ箇所と矢印Ｂ箇所に本発明品を取付けて残存型枠（８）を組立て、平面状態から残存型枠（８）も一緒に折曲し角度を付けても良い。この時は、押え金具（71）に設けたネジは仮止めにしておき、角度を付けた後に、隙間をなくして本締めする。前記カーブが上方に傾く場合には、本発明品の取付けは、長尺本体（１）を垂直に配置させ、上下の残存型枠（８）に角度を付けて連結固定すれば良い。
【００１５】
次に本発明の作用を図７に基づいて説明する。上記のように予め本発明品を取付け、且つネジ部材（３）を回して長尺本体（１）の中央から折曲させ、該長尺本体（１）の右側に残存型枠（８）を取付けることにより、残存型枠（８）はネジ部材（３）を回して長尺本体（１）の折曲角度の微調節を行えば、残存型枠（８）の角度が自在となってカーブと一致する角度に仕上げられるのである。この時、図７（ａ）に示すようにネジ部材（３）を右側に回して曲げ支持板（２）から押出すと、長尺本体（１）は中央の切欠部（1b）から曲がる。すると右側の残存型枠（８）が手前に折曲するのである。又、図７（ｂ）に示すようにネジ部材（３）を左側に回して引戻すと、奥側に折曲するのである。尚、前記長尺本体（１）の中央を図７のように多めに折曲させる際は、長尺本体（１）の配置位置は予め曲げ方向に対応させてずらしておくと良い。つまり、図７（ａ）の場合には中央を左寄りに、且つ図７（ｂ）の場合には中央を右寄りにずらし、折曲角度の略中心にネジ部材（３）が来るように配置されるのが好ましい。又、左側の残存型枠（８）は位置決めが終了して固定された状態となっているため、右側の残存型枠（８）だけが回転される。このようにして右側の残存型枠（８）を左右に微調節してカーブと一致した角度に仕上げられるのである。尚、図中の折曲状態に於いて、長尺本体（１）には略山形状の曲げ支持板（２）があるため、強度が増加し、コンクリート打設時の側圧に対して強度が充分に確保されると共に本発明品全体が軽量化されたものとなる。更に本発明は現場で折曲及び微調節が行えるので、作業が確実で且つ容易に行えるものとなった。この時、図１の長尺本体（１）は中央で折曲し、図３、図５、図６の長尺本体（１）は中央部（1a）で平面を有した状態で折曲する。
【００１６】
【発明の効果】
本発明はこのように構成させたことにより、下記に記載する効果を有する。
【００１７】
請求項１のように中央部（1a）が折曲可能な長尺本体（１）と、該長尺本体（１）の中央部（1a）を跨いて取付けた略山形状の曲げ支持板（２）と、少なくとも曲げ支持板（２）の中央を貫通するネジ部材（３）と、該ネジ部材（３）と螺合し且つ曲げ支持板（２）に固着させたナット（４）と、長尺本体（１）を挟んでネジ部材（３）に固着させた挟持部材（５），（６）と、長尺本体（１）の両端側に取付ける取付手段（７）とから構成することより、隣合う残存型枠（８）に角度を付けて連結が可能となると共に角度の微調節することが出来るため、現場で作業者が直接にカーブに沿って残存型枠（８）の組立てが簡単で且つ連続して行えるものとなり、現場の作業能率が向上するものとなる。更に従来行っていた溶接作業が現場で不要となるため、施工手間が減少すると共に完成後、錆汁が滲み出て表面を汚す恐れがなくなった。尚、本発明品は直線用としても使用出来る。
【００１８】
請求項２のように長尺本体（１）がＣ型鋼であり、且つその中央部（1a）に少なくとも１個の切欠部（1b）を設けることにより、板厚が薄くても丈夫であり、且つ切欠部（1b）から容易に折曲出来るものとなる。
【００１９】
請求項３に示すようにネジ部材（３）の一端を角部（3a）に形成することにより、一般工具を用いてネジ部材（３）が簡単に回転出来るため、長尺本体（１）の折曲及びその微調節が現場において容易に行えるものとなる。
【００２０】
請求項４に示すように取付手段（７）として、押え金具（71）と金具本体（72）とから成る連結金具を用い且つ金具本体（72）を長尺本体（１）の両端側に固着させることにより、隣合う４枚の残存型枠（８）用の取付け固定及び折曲させて任意な角度を付けることが容易なものとなる。
【００２１】
請求項５のように取付手段（７）として押え金具だけを用いると、隣合う２枚の残存型枠（８）用の取付け固定及び折曲させて任意な角度を付けることが容易なものとなる。また請求項４よりも小型化出来ると共に構造が簡単で部品点数が少ないものとなる。
【００２２】
請求項６のように取付手段（７）として固定ボルトだけを用いると、隣合う２枚或いは４枚の残存型枠（８）の取付け固定及び折曲させて任意な角度を付けることが容易なものとなる。また長尺本体（１）の両端側に楕円状な挿入穴（1c）を穿設させ、型鋼（82）に取付穴（82a）を設けるだけで対応が可能となるので、請求項５よりも構造が更に簡単で部品点数も少なくなり、部品管理が容易となる。
【図面の簡単な説明】
【図１】本発明の実施形態を示す斜視図である。
【図２】本実施形態のネジ部材と挟持部材の取付け状態を示す説明図である。
【図３】本発明の別実施形態を示す斜視図である。
【図４】別実施形態のネジ部材と挟持部材の取付け状態を示す説明図ある。
【図５】他の実施形態のネジ部材と挟持部材の取付け状態を示す説明図ある。
【図６】他の実施形態に於ける４枚連結用の要部を示す説明図である。
【図７】本発明の作用を示す説明図である。
【図８】本発明の使用状態を示す説明図である。
【符号の説明】
１  長尺本体
1a  中央部
1b  切欠部
1c  挿入穴
２  曲げ支持板
３  ネジ部材
3a  角部
４  ナット
５，６  挟持部材
７  取付手段
71  押え金具
72  金具本体
８  残存型枠
81  プレート本体
82  型鋼
82a  取付穴
【図１】
0003749450.tif 000002
【図２】
0003749450.tif 000003
【図３】
0003749450.tif 000004
【図４】
0003749450.tif 000005
【図５】
0003749450.tif 000006
【図６】
0003749450.tif 000007
【図７】
0003749450.tif 000008
【図８】
0003749450.tif 000009